(57)【要約】【課題】着用式マッサージ機において、首や肩だけでなく腰や臀部の患部に対してもマッサージを可能とし、また施療部の位置を患部に合わせて任意に調整できるようにする。【解決手段】本発明の着用式マッサージ機１は、使用者Ｕの背部を覆うように上下方向へ延びる後覆い体４と、後覆い体４の上部側から使用者Ｕの肩を跨いで使用者Ｕの腹部まで上下方向へ延びる前覆い体３とを有し、後覆い体４の上部には第１施療部１０が設けられると共に、後覆い体４の下部には第２施療部１１が設けられ、前覆い体１０には、使用者Ｕの頭部が差し込み可能であって上下方向に沿って長孔状に形成されている貫通孔５を有することを特徴とするものである。【選択図】図１
2011234741.tif 000002
【特許請求の範囲】
【請求項１】
使用者の背部を覆うように上下方向へ延びる後覆い体と、前記後覆い体の上部側から使用者の肩を跨いで使用者の腹部まで上下方向へ延びる前覆い体とを有し、
前記後覆い体の上部には第１施療部が設けられると共に、後覆い体の下部には第２施療部が設けられ、
前記前覆い体には、使用者の頭部が差し込み可能であって上下方向に沿って長孔状に形成されている貫通孔を有することを特徴とする着用式マッサージ機。
【請求項２】
前記第１施療部は、使用者の肩に対応した位置に設けられて使用者の肩をマッサージ可能とされており、
前記第２施療部は、使用者の腰に対応した位置に設けられて使用者の腰をマッサージ可能とされていることを特徴とする請求項１に記載の着用式マッサージ機。
【請求項３】
前記前覆い体の下端側には、使用者の腹部を温熱する発熱体が設けられていることを特徴とする請求項１又は２に記載の着用式マッサージ機。
【請求項４】
前記前覆い体の下端側には、前記使用者が把持可能な把手部が設けられていることを特徴とする請求項１〜３のいずれかに記載の着用式マッサージ機。
【請求項５】
前記後覆い体の下端側には、長尺の引張体が設けられていることを特徴とする請求項１〜４のいずれかに記載の着用式マッサージ機。
【請求項６】
前記第１施療部及び第２施療部は、電磁式の打撃力発生手段を左右一対備えていることを特徴とする請求項１〜５のいずれかに記載の着用式マッサージ。
【請求項７】
前記打撃力発生手段は、中央が中空部となっている励磁コイルと、前記励磁コイルの中空部に出入可能となっている駆動棒と、前記励磁コイルの中空部から突出状態にある駆動棒を中空部内に押し戻すスプリングと、を有していることを特徴とする請求項６に記載の着用式マッサージ。
【発明の詳細な説明】
【技術分野】
【０００１】
本発明は、使用者が着用して、その肩や腰などの患部をマッサージする着用式マッサージ機に関するものである。
【背景技術】
【０００２】
例えば、着用式マッサージ機には、特許文献１に示すように、使用者が首や肩にかけられるように逆Ｖの字状に形成されたものであって、上端側に首や肩などの患部をマッサージする施療部（振動発生器）を備え、２又状に分かれた下端側に使用者が手首をかける取手を備えたものが知られている。この特許文献１には、図１１に使用者が取手に手首をかけて着用式マッサージ機を下方に引っ張っている使用態様が記載されており、施療部を首や肩の患部に強く押し付けて確実にマッサージできることも開示されている。
【先行技術文献】
【特許文献】
【０００３】
【特許文献１】韓国登録特許第１０−０８８７７０４号公報
【発明の概要】
【発明が解決しようとする課題】
【０００４】
ところで、一般的に施療対象となる身体の部位の中でも、腰や臀部は首や肩と並んで特に重要であり、マッサージ機には腰や臀部を施療する機能が求められる。ところが、特許文献１の着用式マッサージ機では、図１１に示されるような使用態様で用いた場合に、施療部を首や肩の患部に当ててマッサージすることはできるが、腰や臀部をそのままマッサージすることはできない。
【０００５】
また、使用者の性別や体格によっては患部の位置が大きく変化する場合があり、このような場合は施療部の位置を患部に合わせて調整する必要がある。ところが、特許文献１の着用式マッサージ機では、施療部の位置が首や肩に合わせて予め決められているため、施療部の位置合わせができず、体格が合わない使用者にとっては利便性が著しく低下するという問題もあった。
【０００６】
例えば、着用式マッサージ機を首や肩から外して施療部の位置を腰や臀部に合わせたり、マッサージして欲しい部分に位置合わせしたりする使用態様も考えられるが、このような使用態様では「立ち姿勢のままマッサージできる」という着用式マッサージ機の利点が損なわれてしまう。
本発明は、上記事情に鑑みてなされたものであって、首や肩だけでなく腰や臀部の患部に対してもマッサージが可能であり、施療部の位置を患部に合わせて任意に調整することができる着用式マッサージ機を提供することを目的とする。
【課題を解決するための手段】
【０００７】
前記目的を達成するために、本発明は次の手段を講じた。
即ち、本発明にかかる着用式マッサージ機は、使用者の背部を覆うように上下方向へ延びる後覆い体と、前記後覆い体の上部側から使用者の肩を跨いで使用者の腹部まで上下方向へ延びる前覆い体とを有し、前記後覆い体の上部には第１施療部が設けられると共に、後覆い体の下部には第２施療部が設けられ、前記前覆い体には、使用者の頭部が差し込み可能であって上下方向に沿って長孔状に形成されている貫通孔を有することを特徴とする。
【０００８】
好ましくは、前記第１施療部は、使用者の肩に対応した位置に設けられて使用者の肩をマッサージ可能とされており、前記第２施療部は、使用者の腰に対応した位置に設けられて使用者の腰をマッサージ可能とされているとよい。
このように、後覆い体の上部に第１施療部を設けると共に下部に第２施療部を設けておけば、第１施療部で首や肩の患部をマッサージするのに合わせて第２施療部で腰や臀部の患部をマッサージすることができる。また、前覆い体に頭部を貫通可能な貫通孔を上下方向に沿って長く形成しておけば、頭部を貫通させたまま前覆い体を自由に上下にずらすことができ、肩を跨いで前覆い体に連結された後覆い体の第１施療部や第２施療部の位置を上下方向に調整することも可能となる。
【０００９】
また、前記前覆い体の下端側には、使用者の腹部を温熱する発熱体が設けられているとよい。
このような発熱体を前覆い体の下端側に設けることにより患部のマッサージに合わせて使用者の腹部を暖めることが可能となり、使用者の血行を良くすることも可能となる。
なお、前記前覆い体の下端側には、前記使用者が把持可能な把手部が設けられているとよい。
【００１０】
使用者が把持可能な把手部を設ければ、施療部の位置合わせの際に前覆い体を掴みやすくなり、着用式マッサージ機の利便性をさらに高めることも可能となる。
前記後覆い体の下端側には、長尺の引張体が設けられているとよい。
後覆い体の下端側に長尺の引張体を設ければ、この引張体を掴んで前方に引きつけることで、第１施療部や第２施療部を患部に強く押し付けることが可能となり、より確実なマッサージ効果を得ることも可能となる。
【００１１】
前記第１施療部及び第２施療部は、電磁式の打撃力発生手段を左右一対備えているとよい。
この構成により、軽量でありながら快適な打撃マッサージを患部に加えることが可能となる。
好ましくは、前記打撃力発生手段は、中央が中空部となっている励磁コイルと、前記励磁コイルの中空部に出入可能となっている駆動棒と、前記励磁コイルの中空部から突出状態にある駆動棒を中空部内に押し戻すスプリングと、を有しているとよい。
【発明の効果】
【００１２】
本発明に係る着用式マッサージ機によれば、首や肩だけでなく腰や臀部の患部に対してもマッサージが可能であり、施療部の位置を患部に合わせて任意に調整することが可能となる。
【図面の簡単な説明】
【００１３】
【図１】本発明の着用式マッサージ機の斜視図である。
【図２】正面から見た場合の着用式マッサージ機の使用態様を示す図である。
【図３】背面から見た場合の着用式マッサージ機の使用態様を示す図である。
【図４】前覆い体を上方に引っ張り上げた状態における、着用式マッサージ機の使用態様を示す図（正面図）である。
【図５】前覆い体を上方に引っ張り上げた状態における、着用式マッサージ機の使用態様を示す図（背面図）である。
【図６】斜め前方から見た場合の着用式マッサージ機の別の使用態様を示す図である。
【図７】打撃力発生手段を示した図である。
【発明を実施するための形態】
【００１４】
以下、本発明の着用式マッサージ機１を図面に基づき説明する。
本発明の着用式マッサージ機１は、使用者Ｕが肩にかけて着用することができるハンディタイプ（携行式）のマッサージ機である。この着用式マッサージ機１（以降では、単にマッサージ機１という）は、椅子型のマッサージ機のように大きな設置スペースを必要とせず、例えば立ったり寝たりしたままマッサージすることができるため、椅子型のマッサージ機より手軽に利用できる利点を備えている。
【００１５】
マッサージ機１は、長手方向の中央部２を境に折り返し状に曲げられるようになっていて、この長手方向の中央部２を使用者Ｕの肩にかけるようにして装着される。
図１は、装着時のように長手方向の中央部２を境に折り返し状に曲げられたマッサージ機１をその斜め前側から見た図である。図１に示すように、マッサージ機１は、折り返し状に曲げられた中央部２を境として、使用者Ｕの前面（腹側）を覆う前覆い体３と後面（背側）を覆う後覆い体４とを有している。
【００１６】
以降の説明では、図２〜図５に示す方向を用いてマッサージ機１を説明する。これらの方向は、説明の便宜上付したものである。
図１及び図２に示すように、前覆い体３は、上下方向に長く形成されていて、使用者Ｕの肩から腹部にかけての領域に接触しつつこれらの領域を覆うことができるようになっている。前覆い体３は、合成繊維（合成皮革）などで形成されており、その内部には発泡ポリウレタンなどの弾力性のあるクッション材（図示略）が配備されている。前覆い体３の中央には貫通孔５が形成されており、また前覆い体３の下側にはコントローラ６、発熱体７及び把手部８が設けられている。
【００１７】
貫通孔５は、前覆い体３の中央に形成されていて、前覆い体３を使用者Ｕから見て前後方向に貫通している。貫通孔５の左右方向に沿った開口幅は使用者Ｕの頭部の幅より十分に広く形成されていて、使用者Ｕがその頭部を貫通孔５に支障なく挿し込むことができるようになっている。また、貫通孔５は左右方向に比べて上下方向に長い長孔状に開口していて、この貫通孔５に頭部を挿し込んだまま前覆い体３を上下に動かすことができるようになっている。
【００１８】
コントローラ６は、マッサージのＯＮ／ＯＦＦ、マッサージを行う身体の部位、マッサージの強弱、発熱体７のＯＮ／ＯＦＦ、マッサージのリズムなどを制御する制御部を内蔵している。コントローラ６の前面には、希望とするマッサージ内容に合わせて自由に操作できる操作ボタン９（スイッチ）が並んで設けられており、操作ボタン９から入力された操作信号を制御部に送ることができるようになっている。コントローラ６は、操作ボタン９を前覆い体３の前面に露出するようにして前覆い体３の内部に収容されている。
【００１９】
発熱体７は、前覆い体３の下側に内蔵されており、前覆い体３の後側（コントローラ６の後側）に設けられて使用者Ｕの腹部を温熱するヒータを備えている。なお、このヒータには電熱線を用いることができ、また発熱体７には温風などを発生するものを用いても良い。
把手部８は、使用者Ｕが掴みやすいように帯状に形成されており、上下方向に沿って前覆い体３の前面に設けられている。本実施形態では、把手部８は、左側と右側とにそれぞれ１つずつ配備されており、前覆い体３の下側に配備されている。
【００２０】
図３に示すように、後覆い体４は、前覆い体３と同様に上下方向に長く形成されていて、使用者Ｕの肩から腰部にかけての領域に接触しつつこれらの領域を覆うことができるようになっている。後覆い体４は、上部に設けられる第１施療部１０と、下部に設けられる第２施療部１１と、これらの第１施療部１０と第２施療部１１とを上下に連結する連結部１２とを有している。
【００２１】
第１施療部１０は、前覆い体３と同様に合成繊維（合成皮革）などで形成されており、その内部にはクッション材が配備されている。第１施療部１０の内部には、使用者Ｕの患部をマッサージする打撃力発生手段１３が左右一対配備されている。図３の例では、この第１施療部１０は使用者Ｕの肩に位置していて、内部に設けられた打撃力発生手段１３で使用者Ｕの肩や首を主にマッサージできるようになっている。
【００２２】
第２施療部１１は、第１施療部１０と同様に合成繊維（合成皮革）などで形成されており、その内部にはクッション材が配備されている。第２施療部１１の内部にも、第１施療部１０と同様に使用者Ｕの患部をマッサージする打撃力発生手段１３が左右一対配備されている。図３の例では、この第１施療部１０は使用者Ｕの腰に位置していて、内部に設けられた打撃力発生手段１３で使用者Ｕの腰や背中を主にマッサージできるようになっている。
【００２３】
なお、第２施療部１１にはこの第２施療部１１の左右の外縁から外側に向かって伸びる長尺の引張体１４が左右で一対設けられている。これらの引張体１４、１４は、その先端を使用者Ｕが掴んで使用者Ｕから見て前方に引くことで第１施療部１０や第２施療部１１を患部に強く押し付けることができ、患部をより確実にマッサージすることを可能としている。
【００２４】
打撃力発生手段１３は、銅線などの導線を巻き回した励磁コイル（ソレノイド）を有する打撃部本体１５と、励磁コイルの内部に挿し込まれた駆動棒１６と、駆動棒１６が挿し込まれた打撃部本体１５の周囲を包囲する弾性体のケース（図示略）とを備えている。この駆動棒１６は、磁性体である棒状の鉄心と非磁性体の合成樹脂製の棒とを軸方向に連結させたような構成となっている。また、弾性体のケースは、挿し込まれた駆動棒１６ごと打撃部本体１５の周囲を隙間なく包囲しており、打撃部本体１５に対する駆動棒１６の挿し込み位置を位置決めしている。
【００２５】
この駆動棒１６は、電流を流していない状態では、弾性体のケースにより位置決めされた位置にある。
電流をある方向に流すと励磁コイルに電磁力が生起し、生起した電磁力により駆動棒１６が弾性体のケースに位置決めされた位置から励磁コイルから飛び出す方向に動く。励磁コイルから飛び出た駆動棒１６は弾性体のケースにより押し返されるが、励磁コイルに電流を流している間は押し返し力に抗って駆動棒１６は飛び出た状態のままとなる。励磁コイルの電流を止めると、駆動棒１６に働く力は押し返し力だけとなり、駆動棒１６が励磁コイル内に退く方向に動く。つまり、打撃力発生手段１３では励磁コイル流す電流をパルス電流や交流とすることで、弾性体のケースから加わる押し返し力に抗して駆動棒１６を打撃部本体１５に対して自在に出退させることができ、合計で４つの打撃力発生手段１３により患部に打撃マッサージを加えることが可能になる。
【００２６】
打撃力発生手段１３には上述したコントローラ６からの信号が入力されており、入力された信号に基づいて励磁コイル流す電流（パルス電流や交流）の周波数や電圧（電流）を変化させることができるようになっている。例えば、励磁コイルに流すパルス電流の周波数を変化させることで、駆動棒１６の出退時間や間隔を自在に変更することができ、患部に対するマッサージの速度やリズムを自在に変更することが可能となる。また、パルス電流の電圧や電流を変化させることで、駆動棒１６が飛び出る力も自在に変更することができ、患部に対するマッサージの強度も自在に変更することが可能となる。
【００２７】
このような打撃力発生手段１３は、一般に励磁コイルに銅などの導線が用いられているため重量が大きく、また打撃力の発生に伴って熱を持ちやすいことも問題となる。しかし、本発明では、打撃力発生手段１３の数を４つに増やし、さらに４つの打撃力発生手段１３を交互に（バラバラに）動作させるようにしている。その結果、本発明の打撃力発生手段１３では、１つの打撃力発生手段１３の動作時間が短くて済み、発熱量の小さくなる。それゆえ、導線を細くすることも可能となり、従来の電磁式の打撃力発生手段に比べて軽量でありながら発熱量の少ない打撃マッサージを患部に加えることが可能となっている。
【００２８】
連結部１２は、第１施療部１０や第２施療部１１とは異なり内部にクッション材を備えておらず、自在に折り曲げられるようになっている。このように連結部１２を折り曲げ自在とすることで、第１施療部１０と第２施療部１１との間隔を上下方向に任意に調整することが可能となる。
なお、本実施形態の着用式マッサージ機１に好適な打撃力発生手段１３としては、図７（ａ）〜図７（ｄ）に示すものが挙げられる。
【００２９】
図７（ａ）の打撃力発生手段１３は、中央が中空部２０となっている励磁コイル２１（導線が巻回状態となっているソレノイド）と、この励磁コイル２１の中空部２０に同軸状に挿入され且つ中空部２０から出入可能となっている駆動棒１６（ピストン）とを有している。また、励磁コイル２１の前面には、駆動棒１６の先端部に接するように設けられたスプリング２２（帯状のスプリング乃至はゴムベルト）が取り付けられている。
【００３０】
図７（ａ）の打撃力発生手段１３では、この打撃力発生手段１３の励磁コイル２１に電流を流すと、図７（ｂ）に示す如く、励磁コイル２１に生起した電磁力により駆動棒１６が中空部２０に収まった位置から、前面に配備された帯スプリング２２を引き伸ばすような形で、励磁コイル２１から飛び出す方向に動く。励磁コイル２１から飛び出た駆動棒１６は帯スプリング２２の弾性力により押し返されるが、励磁コイル２１に電流を流している間は押し返し力に抗って駆動棒１６は飛び出た状態のままとなる。
【００３１】
その後、励磁コイル２１の電流を止めると、駆動棒１６に働く力は帯スプリング２２による押し返し力だけとなり、駆動棒１６が励磁コイル２１の中空部２０内に戻る方向に動く。つまり、電流が励磁コイル２１に供給されるとき、駆動棒１６の一部は励磁コイル２１の中空部２０から突出し、電流が遮断された際には、駆動棒１６は帯スプリング２２の弾性力により、励磁コイル２１の中央にある中空部２０に戻る。その繰り返しにより、駆動棒１６が出退の繰り返し運動を行い、患部に打撃マッサージ（叩きマッサージ）を加えることが可能になる。
【００３２】
上記の如く、打撃力発生手段１３は、駆動棒１６の突出は励磁コイル２１の電磁力で行われ、駆動棒１６の退行は励磁コイル２１の前面に配備された帯スプリング２２（帯状のゴムベルト）によるため、打撃力発生手段１３は無重力下でも問題なく作動する。また、立位姿勢にある使用者の腰などに当たるように、垂直に配備（駆動棒１６の軸心が水平方向を向くように配備）されても確実に動作することとなる。
【００３３】
また、駆動棒１６の先端部は、着用式マッサージ機１の内面と表面接触せず、打撃力発生手段１３の構成部品の１つである帯スプリング２２と接触するため、永年使用に伴って、着用式マッサージ機１の内面が擦れたり摩耗したりする不具合を避けることができる。帯ベルト２２が擦れたり摩耗したりしても、当該帯スプリング２２を交換するだけで対応が可能である。また、駆動棒１６の先端部による患部への強力な打撃力を、帯スプリング２２は緩和することができ、穏やかな叩きマッサージ施術を患部へ与えることができるようになる。
【００３４】
図７（ｃ）は、図７（ａ）に備えられた帯スプリング２２を、励磁コイル２１の背後に配備した変形例である。
詳しくは、励磁コイル２１の背面で且つその縁端部から後方に向けて突設部２３が形成されていて、この突設部２３間に帯スプリング２２が架け渡されている。この帯スプリング２２の略中央部と駆動棒１６の後端部とはネジ止めされることで一体となっている。
【００３５】
図７（ｄ）は、図７（ａ）に備えられた帯スプリング２２を、励磁コイル２１の背後であって、駆動棒１６の後端部を取り囲むように設けられた巻きバネ２４に置き換えた例である。
詳しくは、駆動棒１６の後端部に、駆動棒１６の径より大径となっている鍔部２５が形成されており、この鍔部２５と励磁コイル２１の背面との間には、駆動棒１６を螺旋状に巻き囲むようにつる巻きバネ２４が配設されている。
【００３６】
図７（ｃ）、図７（ｄ）のいずれであっても、励磁コイル２１に対して電流が遮断された際には、駆動棒１６は帯スプリング２２の弾性力（後方に配備された帯スプリング２２やつる巻きバネ２４が元の状態に戻ろうとする力）により、励磁コイル２１の中空部２０内に戻る。電磁力による駆動棒１６の突出、帯スプリング２２の弾性力による駆動棒１６の退行という繰り返しにより、駆動棒１６が患部に打撃マッサージ（叩きマッサージ）を加えることが可能になる。
【００３７】
なお、図７（ｃ）、図７（ｄ）の場合、電流が流れていないときには、駆動棒１６の先端部が励磁コイル２１の前面より突出しない（引っ込んだ）状態とすることが望ましい。こうすることで、着用式マッサージ機１の内面と表面接触せず、着用式マッサージ機１の内面が擦れたり摩耗したりする不具合を避けることができる。
なお、上記した打撃力発生手段１３は、本実施形態の着用式マッサージ機１のみならず、様々な着用式マッサージ機のマッサージ機構として採用可能である。
【００３８】
次に、上述の構成を備えた着用式マッサージ機１の使用態様（使用方法）を説明する。
図２及び図３に示すように、着用式マッサージ機１を着用してマッサージを行う際は、使用者Ｕがその頭部を前覆い体３の中央に形成された貫通孔５に挿入する。そして、長手方向の中央部２を境に着用式マッサージ機１が折り返し状に曲げ、この曲げられた部分を使用者Ｕの肩にかけるようにすれば、着用式マッサージ機１の装着が可能となる。
【００３９】
この着用式マッサージ機１は、上下方向に沿って長孔状に形成された貫通孔５に対して使用者Ｕの頭部が上下方向のどの位置にあるかで、マッサージする位置や温熱する位置を変更できるようになっている。
図２や図３に示す例では、使用者Ｕの頭部が貫通孔５の上端側に位置していて、貫通孔５の上端の縁が使用者Ｕの首の後側に引っ掛かるようになっており、前覆い体３は最も下側に移動して発熱体７により使用者Ｕの下腹部を温熱できるようになっている。また、後覆い体４は最も上側に移動していて、図２や図３に示す例では第１施療部１０が使用者Ｕの肩をマッサージすると共に第２施療部１１が使用者Ｕの腰をマッサージする構成になっている。
【００４０】
図２や図３に示す例において、例えば使用者Ｕの体格が標準より大きい（小さい）場合などのように第１施療部１０や第２施療部１１の位置がマッサージして欲しい位置からずれている場合は、着用式マッサージ機１自体を上下に動かせて第１施療部１０や第２施療部１１の位置をマッサージして欲しい位置に合わせる。
第１施療部１０や第２施療部１１を位置合わせする際は、把手部８を掴んで前覆い体３を上方に移動させ、頭部を貫通させたまま前覆い体３を上方にずらす。上述したように貫通孔５は上下方向に沿って長孔状に形成されているため、頭部を貫通させたままでも前覆い体３の位置合わせは可能となる。このようにして前覆い体３を上方にずらすと、着用式マッサージ機１は図４や図５に示すような位置に変化する。
【００４１】
図４や図５に示す例では、使用者Ｕの頭部は貫通孔５の上端と下端との中途側に位置しており、前覆い体３の下端が図２の例より上方に位置している。そして、前覆い体３の発熱体７が使用者Ｕの上腹部（みぞおち付近）を温熱している。一方、後覆い体４は図３の例より下方に位置していて、図４や図５に示す例では第１施療部１０が使用者Ｕの背中（肩甲骨の下側）をマッサージすると共に第２施療部１１が使用者Ｕの臀部をマッサージする構成になっている。
【００４２】
上述のように、後覆い体４に第１施療部１０と第２施療部１１とを上下方向に距離をあけて設けておけば、第１施療部１０で首や肩の患部をマッサージするのに合わせて第２施療部１１で腰や臀部の患部をマッサージすることができる。その結果、例えばわざわざ着用式マッサージ機１をずらして首や肩に合わせられていた施療部の位置を腰や臀部に変更するといった面倒な操作が不要となり、着用式マッサージ機１の利便性を高めることが可能となる。
【００４３】
また、前覆い体３に頭部を貫通可能な貫通孔５を上下方向に沿って長く形成しておけば、頭部を貫通させたまま前覆い体３を自由に上下にずらすことができ、肩を跨いで前覆い体３に連結された後覆い体４の第１施療部１０や第２施療部１１の位置を上下方向に調整することも可能となる。それ故、標準的な体格を備えていない使用者Ｕがマッサージを行う場合にも、第１施療部１０や第２施療部１１の位置を容易に変更することができ、また上下方向の広い範囲の患部に対して施療することも可能となり、着用式マッサージ機１の利便性をさらに高めることが可能となる。
【００４４】
また、前覆い体３の下端側に使用者Ｕの腹部を温熱する発熱体７を設けておけば、患部のマッサージに合わせて腹部を暖めることが可能となり、使用者Ｕの血行をさらに良くすることも可能となる。
なお、前覆い体３の下端側に使用者Ｕが把持可能な把手部８を設けておけば前覆い体３を掴みやすくなり、第１施療部１０や第２施療部１１の位置合わせも容易になる。また、後覆い体４の下端側に長尺の引張体１４が設けられておけば、この引張体１４を掴んで前方に引きつけることで、第１施療部１０や第２施療部１１を患部（肩や腰）に強く押し付けることが可能となり、より確実なマッサージ効果を得ることも可能となる。
【００４５】
例えば、図６に示すように、引張体１４を掴んで前方に引きつけると共に、引張体１４の先端を把手部８をくぐらして左右に引っ張るようにすれば、第１施療部１０や第２施療部１１を患部に強く押し付けたままに維持することも可能となり、より確実なマッサージ効果を継続して得ることも可能となる。
本発明は上記各実施形態に限定されるものではなく、発明の本質を変更しない範囲で各部材の形状、構造、材質、組み合わせなどを適宜変更可能である。
【００４６】
例えば、前覆い体３の下端側に留め金（バックル）を設けておくか、左右の引張体１４のいずれか一方の先端に金具を設けると共に他方の先端に留め金を設けておき、金具をこの留め金に留めるようにすれば、第１施療部１０や第２施療部１１を患部に強く押し付けたままに維持することがさらに容易になる。
【符号の説明】
【００４７】
１  着用式マッサージ機
２  中央部
３  前覆い体
４  後覆い体
５  貫通孔
６  コントローラ
７  発熱体
８  把手部
９  操作ボタン
１０  第１施療部
１１  第２施療部
１２  連結部
１３  打撃力発生手段
１４  引張体
１５  打撃部本体
１６  駆動棒
２０  中空部
２１  励磁コイル
２２  スプリング
２３  突設部
２４  巻きバネ
２５  鍔部
Ｕ  使用者
【図２】
2011234741.tif 000003
【図３】
2011234741.tif 000004
【図４】
2011234741.tif 000005
【図５】
2011234741.tif 000006
【図６】
2011234741.tif 000007
【図７】
2011234741.tif 000008
【図１】
2011234741.tif 000009